(57)【特許請求の範囲】
【請求項１】
二次電池を所定の設定電圧及び設定電流に基づいて定電圧・定電流にて充電する二次電池の充電方法において、
前記二次電池の使用又は時間の経過と共に増大する１又は複数の指標夫々の増分を算出し、
算出した指標夫々の増分について、前記二次電池の充電中又は放置期間中における劣化を加速するパラメータの大／小に応じて大／小に変化する劣化加速係数を特定し、
特定した劣化加速係数を、算出した指標夫々の増分に乗じて補正し、
補正した指標夫々の増分を積算し、
積算して得た指標夫々の増加に応じて減少する１又は複数の劣化係数を算出し、
算出した劣化係数の減少に応じて、前記設定電圧及び／又は設定電流を低減すること
を特徴とする二次電池の充電方法。
【請求項２】
算出した１の劣化係数、又は算出した複数の劣化係数同士の積が、所定の値より小さい場合、前記設定電圧を所定の電圧に低下させることを特徴とする請求項１に記載の二次電池の充電方法。
【請求項３】
前記指標には、充放電サイクル数が含まれ、
算出した充放電サイクル数の増分について、前記設定電圧及び／又は設定電流の大／小に応じて大／小に変化する劣化加速係数を特定すること
を特徴とする請求項１又は２に記載の二次電池の充電方法。
【請求項４】
前記指標には、所定の端子電圧以上での放置期間が含まれ、
算出した放置期間の増分について、前記端子電圧の高／低に応じて大／小に変化する劣化加速係数を特定すること
を特徴とする請求項１又は２に記載の二次電池の充電方法。
【請求項５】
前記放置期間の増分を積算する都度、積算する前に前記二次電池の温度を検出し、
検出した温度の高／低に応じて大／小に変化する温度加速係数を特定し、
特定した温度加速係数を、前記劣化加速係数を乗じて補正した放置期間の増分に乗じて更に補正すること
を特徴とする請求項４に記載の二次電池の充電方法。
【請求項６】
二次電池を所定の設定電圧及び設定電流に基づいて定電圧・定電流にて充電するパック電池において、
前記二次電池の使用又は時間の経過と共に増大する１又は複数の指標夫々の増分を算出する算出手段と、
該算出手段が算出した指標夫々の増分について、前記二次電池の充電中又は放置期間中における劣化を加速するパラメータの大／小に応じて大／小に変化する劣化加速係数を特定する特定手段と、
該特定手段が特定した劣化加速係数を、前記算出手段が算出した指標夫々の増分に乗じて補正する補正手段と、
該補正手段が補正した指標夫々の増分を積算する積算手段と、
該積算手段が積算して得た指標夫々の増加に応じて減少する１又は複数の劣化係数を算出する手段と、
該手段が算出した劣化係数の減少に応じて、前記設定電圧及び／又は設定電流を低減する手段と
を備えることを特徴とするパック電池。
【請求項７】
前記二次電池の充放電サイクル数を計数する計数手段と、
前記二次電池について所定の端子電圧以上での放置期間を計時する計時手段とを備え、
前記指標には、前記計数手段が計数した充放電サイクル数、及び前記計時手段が計時した放置期間が含まれるようにしてあり、
前記特定手段が、前記充放電サイクル数の増分について特定する劣化加速係数は、前記設定電圧及び／又は設定電流の大／小に応じて大／小に変化するようにしてあり、
前記特定手段が、前記放置期間の増分について特定する劣化加速係数は、前記所定の端子電圧の高／低に応じて大／小に変化するようにしてあり、
前記積算手段が積算する都度、積算する前に前記二次電池の温度を検出する手段と、
該手段が検出した温度の高／低に応じて大／小に変化する温度加速係数を特定する手段と、
該手段が特定した温度加速係数を、前記補正手段が補正した放置期間の増分に乗じて更に補正する手段と
を備えることを特徴とする請求項６に記載のパック電池。
【発明の詳細な説明】
【技術分野】
【０００１】
本発明は、二次電池を定電流・定電圧にて充電する二次電池の充電方法、及び該充電方法によって二次電池を充電するパック電池に関する。
【背景技術】
【０００２】
リチウムイオン電池に代表される二次電池の充電では、端子電圧の上限を設定電圧に制限して設定電流にて定電流充電し、端子電圧が上昇して設定電圧に達した後は、定電圧充電にて充電する、いわゆる定電流・定電圧充電方式が用いられることが多い。定電圧充電となる前に、充電電圧又は充電電流を段階的に低下させる方法が採用されることもある。一方、二次電池は、充放電による使用を重ねた場合及び充電して放置（保存を含む）した場合に劣化が進行して、満充電のときの容量（ＦＣＣ：Full Charge Capacity）及び安全性が低下する。このため、二次電池の劣化の程度を把握して劣化の進行を抑制することが重要となる。
【０００３】
ところで、二次電池の劣化の程度で決まる寿命と、実質的に放電可能な容量とされる実質容量（ＦＣＣと同等の容量）とは、充放電の繰り返し及び充電後の放置によって低下するのみならず、充電時の設定電圧及び／又は設定電流が大きいほど低下する傾向がある。これに対し、特許文献１では、二次電池の充放電を繰り返すに従って設定電圧を低減することにより、実質容量の減少（低下）を遅らせて寿命を延伸させる技術が開示されている。また、特許文献２では、二次電池の内部抵抗、実質容量（学習容量）及び充放電サイクル数の何れかを検出して二次電池の劣化度（劣化の程度）を特定し、特定した劣化度に応じて設定電圧を低減する技術が開示されている。更に、特許文献３では、充電の累積サイクル数の増大と、保存時間の経過に応じて、学習容量を減少させて補正する技術が開示されている。
【先行技術文献】
【特許文献】
【０００４】
【特許文献１】特開２００８−５６４４号公報
【特許文献２】特開２００８−２２８４９２号公報
【特許文献３】特開２００２−２３６１５４号公報
【発明の概要】
【発明が解決しようとする課題】
【０００５】
しかしながら、特許文献１に開示された技術では、充放電サイクルの積算値又は充放電容量（充電及び／又は放電した容量）の積算値に応じて単純に設定電圧を低減するため、二次電池の寿命が延伸されるにしても、実際の劣化の程度を都度評価することなしに設定電圧を低減している。また、特許文献２に開示された技術では、二次電池の内部抵抗、実質容量、充放電サイクル数等の指標と劣化度との対応をモデル化したテーブル又は関数を参照して劣化度を特定し、特定した劣化度に応じて設定電圧を低減するため、設定電圧の低減が劣化度の特定に際して考慮されることがなかった。更に、特許文献３に開示された技術は、学習容量を正確に補正することを目標とするものであり、二次電池の劣化の進行を抑制できるものではなかった。
【０００６】
本発明は斯かる事情に鑑みてなされたものであり、その目的とするところは、設定電圧及び設定電流の低減に応じて劣化度が変化することを考慮した上で、劣化の進行を抑制することが可能な二次電池の充電方法、及び該充電方法により二次電池を充電するパック電池を提供することにある。
【課題を解決するための手段】
【０００７】
本発明に係る二次電池の充電方法は、二次電池を所定の設定電圧及び設定電流に基づいて定電圧・定電流にて充電する二次電池の充電方法において、前記二次電池の使用又は時間の経過と共に増大する１又は複数の指標夫々の増分を算出し、算出した指標夫々の増分について、前記二次電池の充電中又は放置期間中における劣化を加速するパラメータの大／小に応じて大／小に変化する劣化加速係数を特定し、特定した劣化加速係数を、算出した指標夫々の増分に乗じて補正し、補正した指標夫々の増分を積算し、積算して得た指標夫々の増加に応じて減少する１又は複数の劣化係数を算出し、算出した劣化係数の減少に応じて、前記設定電圧及び／又は設定電流を低減することを特徴とする。
【０００８】
本発明に係る二次電池の充電方法は、算出した１の劣化係数、又は算出した複数の劣化係数同士の積が、所定の値より小さい場合、前記設定電圧を所定の電圧に低下させることを特徴とする。
【０００９】
本発明に係る二次電池の充電方法は、前記指標には、充放電サイクル数が含まれ、算出した充放電サイクル数の増分について、前記設定電圧及び／又は設定電流の大／小に応じて大／小に変化する劣化加速係数を特定することを特徴とする。
【００１０】
本発明に係る二次電池の充電方法は、前記指標には、所定の端子電圧以上での放置期間が含まれ、算出した放置期間の増分について、前記端子電圧の高／低に応じて大／小に変化する劣化加速係数を特定することを特徴とする。
【００１１】
本発明に係る二次電池の充電方法は、前記放置期間の増分を積算する都度、積算する前に前記二次電池の温度を検出し、検出した温度の高／低に応じて大／小に変化する温度加速係数を特定し、特定した温度加速係数を、前記劣化加速係数を乗じて補正した放置期間の増分に乗じて更に補正することを特徴とする。
【００１２】
本発明に係るパック電池は、二次電池を所定の設定電圧及び設定電流に基づいて定電圧・定電流にて充電するパック電池において、前記二次電池の使用又は時間の経過と共に増大する１又は複数の指標夫々の増分を算出する算出手段と、該算出手段が算出した指標夫々の増分について、前記二次電池の充電中又は放置期間中における劣化を加速するパラメータの大／小に応じて大／小に変化する劣化加速係数を特定する特定手段と、該特定手段が特定した劣化加速係数を、前記算出手段が算出した指標夫々の増分に乗じて補正する補正手段と、該補正手段が補正した指標夫々の増分を積算する積算手段と、該積算手段が積算して得た指標夫々の増加に応じて減少する１又は複数の劣化係数を算出する手段と、該手段が算出した劣化係数の減少に応じて、前記設定電圧及び／又は設定電流を低減する手段とを備えることを特徴とする。
【００１３】
本発明に係るパック電池は、前記二次電池の充放電サイクル数を計数する計数手段と、前記二次電池について所定の端子電圧以上での放置期間を計時する計時手段とを備え、前記指標には、前記計数手段が計数した充放電サイクル数、及び前記計時手段が計時した放置期間が含まれるようにしてあり、前記特定手段が、前記充放電サイクル数の増分について特定する劣化加速係数は、前記設定電圧及び／又は設定電流の大／小に応じて大／小に変化するようにしてあり、前記特定手段が、前記放置期間の増分について特定する劣化加速係数は、前記所定の端子電圧の高／低に応じて大／小に変化するようにしてあり、前記積算手段が積算する都度、積算する前に前記二次電池の温度を検出する手段と、該手段が検出した温度の高／低に応じて大／小に変化する温度加速係数を特定する手段と、該手段が特定した温度加速係数を、前記補正手段が補正した放置期間の増分に乗じて更に補正する手段とを備えることを特徴とする。
【００１４】
本発明にあっては、二次電池の使用又は時間の経過と共に増大する１又は複数の指標の夫々について、例えば、指標に係る電圧パラメータに応じて変化する劣化加速係数が予め準備されている。また、夫々の指標の増加に応じて減少する劣化係数が算出可能となっており、更に、算出された劣化係数の減少に応じて低減すべき設定電圧及び／又は設定電流が予め準備されている。算出された劣化係数が複数の場合は、例えば各劣化係数同士の積の減少に応じて低減すべき設定電圧及び／又は設定電流が予め準備されている。
以上の状況のもとに、１又は複数の指標夫々の増分について、二次電池の充電中又は放置期間中における劣化を加速する設定電圧、設定電流、端子電圧、電池温度等のパラメータの大／小に応じて大／小に変化する劣化加速係数を特定し、特定した劣化加速係数を夫々の指標の増分に乗じて補正し、補正した指標夫々の増分を積算し、積算して得た指標夫々に応じて劣化係数を算出する。そして、算出した劣化係数が１つの場合は、その劣化係数の減少に応じて設定電圧及び／又は設定電流を低減し、算出した劣化係数が複数の場合は、例えば各劣化係数同士の積の減少に応じて設定電圧及び／又は設定電流を低減する。
【００１５】
これにより、１又は複数の指標夫々の増分が、特定された劣化加速係数によって補正され、補正された指標夫々の増分が積算され、積算によって得られた指標夫々の大／小に応じて劣化係数が小／大に算出され、算出された劣化係数又は劣化係数同士の積に応じて、設定電圧及び／又は設定電流が低減される。このため、劣化の進行に応じて設定電圧及び／又は設定電流が低減される都度、１又は複数の指標夫々の増分について低減後に特定される劣化加速係数が低減前より小さくなる。つまり、指標の増大と共に劣化係数が減少する割合が、設定電圧及び／又は設定電流の低減に応じて小さくなるように、劣化加速係数が特定される。
【００１６】
本発明にあっては、１の指標について算出した劣化係数、又は複数の指標の夫々について算出した劣化係数同士の積が、所定の値より小さい場合、充電に際して安全度の高い電圧まで設定電圧を引き下げる。
これにより、二次電池の劣化がある程度まで進行した場合は、設定電圧を大きく引き下げて、安全上の問題が発生するリスクを大幅に低下させる。
【００１７】
本発明にあっては、二次電池の使用又は時間の経過と共に増大する指標の少なくとも１つが、二次電池の充放電サイクル数であり、該充放電サイクル数の増分について特定される劣化加速係数は、その時の設定電圧及び設定電流の大／小に応じて大／小に変化する係数から特定されるようにしてある。
これにより、二次電池の劣化に最も影響を与える指標の１つである充放電サイクル数と、設定電圧及び／又は設定電流とに基づいて、二次電池の劣化係数が算出されるため、二次電池の劣化度が適切に評価されて劣化の進行が抑制される。
【００１８】
本発明にあっては、二次電池の使用又は時間の経過と共に増大する指標の少なくとも１つが、二次電池を所定の端子電圧以上にして放置した放置期間であり、該放置期間の増分について特定される劣化加速係数は、その時の二次電池の端子電圧の高／低に応じて大／小に変化する係数から特定されるようにしてある。
これにより、二次電池の劣化に最も影響を与える指標の１つである放置期間と、放置期間中の端子電圧とに基づいて、二次電池の劣化係数が算出されるため、二次電池の劣化度が適切に評価されて劣化の進行が抑制される。
【００１９】
本発明にあっては、二次電池の温度の高／低に応じて大／小に変化する温度加速係数が予め準備されており、放置期間の増分を積算する都度検出した二次電池の温度に応じて温度加速係数を特定し、特定した温度加速係数を、設定電圧及び設定電流に応じて特定される劣化加速係数と共に、放置期間の増分に乗じて補正する。
これにより、放置期間の増分に対応する期間における電池温度が高いほど劣化の進行が速まるという二次電池の劣化特性が、劣化係数の算出に反映される。
【発明の効果】
【００２０】
本発明によれば、二次電池の１又は複数の指標夫々の増分について特定した劣化加速係数を夫々の指標の増分に乗じて補正し、補正した指標夫々の増分を積算し、積算して得た指標夫々に応じて劣化係数を算出し、算出した劣化係数又は劣化係数の積に応じて設定電圧及び／又は設定電流を低減する。
これにより、１又は複数の指標夫々の増分が、特定された劣化加速係数によって補正され、補正された指標夫々の増分が積算され、積算によって得られた指標夫々の大／小に応じて劣化係数が小／大に算出され、算出された劣化係数又は劣化係数同士の積に応じて、設定電圧及び／又は設定電流が低減される。このため、劣化の程度に応じて設定電圧及び／又は設定電流が低減される都度、１又は複数の指標夫々の増分について低減後に特定される劣化加速係数が低減前より小さくなる。つまり、指標の増大と共に劣化係数が減少する割合が、設定電圧及び／又は設定電流の低減に応じて小さくなるように、劣化加速係数が特定される。
従って、設定電圧及び設定電流の低減に応じて劣化度が変化することを考慮した上で、劣化の進行を抑制することが可能となる。
【図面の簡単な説明】
【００２１】
【図１】本発明の実施の形態に係るパック電池の構成例を示すブロック図である。
【図２】電池のサイクル数を計数する方法を説明するための説明図である。
【図３】電池のサイクル数の増加に応じて実質容量が低下する様子を示すグラフである。
【図４】電池のサイクル数の増加に応じて実質容量が低下する様子を示すグラフである。
【図５】電池のサイクル数の増加に応じてサイクル劣化係数が低下する様子を模式的に示すグラフである。
【図６】サイクル数の増分が発生する都度、サイクル劣化係数を算出するＣＰＵの処理手順を示すフローチャートである。
【図７】電池の保存期間を計数する方法を説明するための説明図である。
【図８】電池の保存期間の増加に応じて実質容量が低下する様子を示すグラフである。
【図９】電池の温度上昇に応じて経年劣化が加速される様子を示すグラフである。
【図１０】電池の保存期間の増加に応じて保存劣化係数が低下する様子を模式的に示すグラフである。
【図１１】保存期間の増分が発生する都度、保存劣化係数を算出するＣＰＵの処理手順を示すフローチャートである。
【図１２】劣化係数を算出して設定電圧を更新するＣＰＵの処理手順を示すフローチャートである。
【図１３】ＦＣＣを劣化係数から算出した容量に一致させるＣＰＵの処理手順を示すフローチャートである。
【図１４】劣化係数の低下が抑制される様子をシミュレーションによって示すグラフである。
【発明を実施するための形態】
【００２２】
以下、本発明をその実施の形態を示す図面に基づいて詳述する。
図１は、本発明の実施の形態に係るパック電池の構成例を示すブロック図である。図中１０はパック電池であり、パック電池１０は、パーソナルコンピュータ（ＰＣ）、携帯端末等の負荷機器２０に着脱可能に装着されている。パック電池１０は、リチウムイオン二次電池からなる電池セル１１１，１１２，１１３，１２１，１２２，１２３，１３１，１３２，１３３を３個ずつ順に並列接続してなる電池ブロックＢ１１，Ｂ１２，Ｂ１３を、この順番に直列接続してなる電池１を備える。電池１は、電池ブロックＢ１３の正極及び電池ブロックＢ１１の負極が夫々正極端子及び負極端子となるようにしてある。
【００２３】
電池ブロックＢ１１，Ｂ１２，Ｂ１３の電圧は、夫々独立してＡ／Ｄ変換部４のアナログ入力端子に与えられ、デジタルの電圧値に変換されてＡ／Ｄ変換部４のデジタル出力端子から、マイクロコンピュータからなる制御部５に与えられる。Ａ／Ｄ変換部４のアナログ入力端子には、また、電池１に密接して配置されており、サーミスタを含む回路によって電池１の温度を検出する温度検出器３の検出出力と、電池１の負極端子側の充放電路に介装されており、電池１の充電電流及び放電電流を検出する抵抗器からなる電流検出器２の検出出力とが与えられている。これらの検出出力は、デジタルの検出値に変換されてＡ／Ｄ変換部４のデジタル出力端子から制御部５に与えられる。
【００２４】
電池１の正極端子側の充放電路には、充電電流及び放電電流を夫々遮断するＰチャネル型のＭＯＳＦＥＴ７１，７２からなる遮断器７が介装されている。ＭＯＳＦＥＴ７１，７２は、ドレイン電極同士を突き合わせて直列に接続してある。ＭＯＳＦＥＴ７１，７２夫々のドレイン電極及びソース電極間に並列接続されているダイオードは、寄生ダイオード（ボディダイオード）である。
【００２５】
制御部５は、ＣＰＵ５１を有し、ＣＰＵ５１は、プログラム等の情報を記憶するＲＯＭ５２、一時的に発生した情報を記憶するＲＡＭ５３、時間を計時するタイマ５４、及びパック電池１０内の各部に対して入出力を行うＩ／Ｏポート５５と互いにバス接続されている。Ｉ／Ｏポート５５は、Ａ／Ｄ変換部４のデジタル出力端子、ＭＯＳＦＥＴ７１，７２夫々のゲート電極、及び負荷機器２０が有する制御・電源部（充電器）２１と通信する通信部９に接続されている。ＲＯＭ５２は、ＥＥＰＲＯＭ（Electrically Erasable Programmable ROM ）又はフラッシュメモリからなる不揮発性メモリである。ＲＯＭ５２には、プログラムの他に、電池容量の学習値、充放電のサイクル数、保存期間、初期容量（公称容量と同等）、設定電圧、設定電流及び各種設定データが記憶される。
【００２６】
ＣＰＵ５１は、ＲＯＭ５２に予め格納されている制御プログラムに従って、演算及び入出力等の処理を実行する。例えば、ＣＰＵ５１は、２５０ｍｓ周期で電池ブロックＢ１１，Ｂ１２，Ｂ１３の電圧値と、電池１の充放電電流の検出値とを取り込み、取り込んだ電圧値及び検出値に基づいて電池１の残容量を積算してＲＡＭ５３に記憶させる。ＣＰＵ５１は、また、残容量のデータを生成し、生成したデータを通信部９の図示しないレジスタに書き込むことによって、残容量のデータを通信部９から出力する。
【００２７】
遮断器７は、通常の充放電時にＩ／Ｏポート５５からＭＯＳＦＥＴ７１，７２のゲート電極にＬ（ロウ）レベルのオン信号が与えられることにより、ＭＯＳＦＥＴ７１，７２夫々のドレイン電極及びソース電極間が導通するようになっている。電池１の充電電流を遮断する場合、Ｉ／Ｏポート５５からＭＯＳＦＥＴ７１のゲート電極にＨ（ハイ）レベルのオフ信号が与えられることにより、ＭＯＳＦＥＴ７１のドレイン電極及びソース電極間の導通が遮断される。同様に電池１の放電電流を遮断する場合、Ｉ／Ｏポート５５からＭＯＳＦＥＴ７２のゲート電極にＨ（ハイ）レベルのオフ信号が与えられることにより、ＭＯＳＦＥＴ７２のドレイン電極及びソース電極間の導通が遮断される。電池１が適当に充電された状態にある場合、遮断器７のＭＯＳＦＥＴ７１，７２は共にオンしており、電池１は放電及び充電が可能な状態となっている。
【００２８】
負荷機器２０は、制御・電源部２１に接続された負荷２２を備える。制御・電源部２１は、図示しない商用電源より電力を供給されて負荷２２を駆動すると共に、電池１の充放電路に充電電流を供給する。制御・電源部２１は、また、商用電源から電力の供給が絶たれた場合、電池１の充放電路から供給される放電電流により、負荷２２を駆動する。制御・電源部２１が充電する電池１がリチウムイオン電池の場合は、最大の電流、及び最大の電圧を規制した定電流（ＭＡＸ電流０．５〜１Ｃ程度）・定電圧（ＭＡＸ４．２〜４．４Ｖ／電池セル程度）充電が行われ、電池１の電池電圧が所定値以上、及び充電電流が所定値以下の条件のときに満充電とされる。
【００２９】
制御・電源部２１及び通信部９間では、制御・電源部２１をマスタに、通信部９を含む制御部５をスレーブにしてＳＭＢｕｓ（System Management Bus ）方式等の通信方式による通信が行われる。本実施の形態では、シリアルクロック（ＳＣＬ）は制御・電源部２１から供給され、シリアルデータ（ＳＤＡ）は制御・電源部２１及び通信部９間で双方向に授受される。本実施の形態では、制御・電源部２１が通信部９を２秒周期でポーリングして通信部９の前記レジスタの内容を読み出す。このポーリングにより、例えば、電池１の残容量のデータが、通信部９から制御・電源部２１に２秒周期で受け渡され、負荷機器２０が有する図示しない表示器に残容量の値（％）として表示される。
尚、上述したポーリング周期の２秒は、制御・電源部２１で決められる値である。
【００３０】
電池１の残容量は、電池１の学習容量（Ａｈ又はＷｈで表される値）から放電容量が減算され、電流の積算量又は電力の積算量として算出される。本実施の形態では、学習容量を１００％とする百分率で残容量（％）を表す。電池１の学習容量は、電池１が満充電の状態から放電終止電圧まで放電する間の、放電電流又は放電電力の積算量でもよいし、放電終止電圧まで放電した状態から満充電の状態となるまでの、充電電流又は充電電力の積算量であってもよい。
【００３１】
さて、電池１は、充放電を繰り返す毎に少しずつ劣化が進行する。以下では、電池１を充放電するサイクル数（以下、単にサイクル数という）を計数して、電池１の劣化の程度を数値化したサイクル劣化係数を算出する方法について説明する。
サイクル数は、初期容量（公称容量と同等）に相当する容量分の放電の積算が完了する都度、１つインクリメントされる。サイクル数は、また、電池１の初期容量に相当する容量分の充電及び放電の積算が一通り完了する都度、１つインクリメントされるようにしてもよい。
【００３２】
図２は、電池１のサイクル数を計数する方法を説明するための説明図である。図２の横軸は時間の経過を表し、縦軸は電池１の初期容量に対する残容量の割合を表す。図中「☆」印が付与された部分は、サイクル数の増分（＝１サイクル）が発生するポイントを示す。サイクル数の増分を積算することにより、サイクル数が計数される。満充電まで充電されて残容量が１００％となった電池１が、時刻Ｔ０から放電を開始し、時刻Ｔ１で残容量が０％となった場合、即ち、放電量の積算値が初期容量に達した場合、サイクル数の増分が１つ発生する。その後、電池１が再び満充電まで充電され、時刻Ｔ２からＴ３まで放電して残容量が５０％となった後に更に満充電まで充電され、時刻Ｔ４からＴ５まで放電して残容量が５０％となったときに、サイクル数の新たな増分が１つ発生する。この場合は、５０％の放電が２回積算されたときに、初期容量に相当する放電量の積算が完了したことになる。
【００３３】
次に、電池１のサイクル数と実質容量（ＦＣＣと同等）との関係について説明する。
図３は、電池１のサイクル数の増加に応じて実質容量が低下する様子を示すグラフである。図３の横軸はサイクル数を表し、縦軸は初期容量に対する実質容量の割合を表す。図中の実線、破線及び一点鎖線の夫々は、設定電圧が４．２０Ｖ、４．１０Ｖ及び４．００Ｖの場合を示す。
【００３４】
図３から把握されるように、設定電圧を低減することにより、サイクル数の増加に伴う実質容量の低下、即ち劣化度の進行が抑制される。具体的には、例えば初期容量に対する実質容量の割合が１００％から６０％の範囲において、設定電圧を４．２０Ｖから４．１０Ｖに低減することにより、同一の実質容量に低下するまでのサイクル数が、約１．５倍に延びることが示される。尚、電池１の特性によっては、上記サイクル数が延伸される度合いが変化することは言うまでもない。つまり、設定電圧を４．２０Ｖから４．１０Ｖに低減した場合、実質容量の低下がサイクル数の増加によって加速される割合（以下、サイクル劣化加速係数という）が、１．０から０．７（≒１／１．５）に低下すると言える。このようにして、設定電圧が４．１０Ｖの場合のサイクル劣化加速係数が０．７と特定される。設定電圧が４．００Ｖの場合のサイクル劣化加速係数は、０．７より更に小さい値が特定される。
【００３５】
サイクル数の増加に伴う実質容量の低下は、設定電流を低減することによって抑制することも可能である。
図４は、電池１のサイクル数の増加に応じて実質容量が低下する様子を示すグラフである。図４の横軸はサイクル数を表し、縦軸は実質容量の絶対値を表す。図中の実線、破線及び一点鎖線の夫々は、設定電流が０．８Ｃ、０．７Ｃ及び０．５Ｃの場合を示す。ここで「Ｃ」は充放電の時間率であり、例えば、１Ｃとは、電池ブロックＢ１１，Ｂ１２，Ｂ１３の各容量（ｍＡｈ）に相当する電気量を１時間で供給し得る電流値（ｍＡ）を意味する。図４では、特にサイクル数が３５０を超える領域において、設定電流を０．８Ｃから０．７Ｃ及び０．５Ｃへと低減した場合に、実質容量の低下が抑制されることが示される。
尚、本実施の形態では、以下、設定電圧を低減して実質容量の低下を抑制する例について説明する。
【００３６】
ところで、設定電圧（又は設定電流。以下同様）は、サイクル数が計数される期間中において徐々に変化する可能性があるため、上述したサイクル劣化加速係数は、サイクル数の増分（ここでは１サイクル）を積算する都度、特定する必要がある。一方、サイクル劣化加速係数は、設定電圧が４．２０Ｖの場合を基準にして、その値を１としている。このため、設定電圧が４．１０Ｖ及び４．００Ｖ夫々の場合、サイクル数の増分は、その時の設定電圧に応じて特定される１より小さいサイクル劣化加速係数を乗じて補正することにより、設定電圧が４．２０Ｖの場合の増分に換算することができる。これにより、設定電圧が低いほど積算すべき増分が相対的に小さくなり、増分が積算されたサイクル数も小さくなって、実質容量の低下を遅らせるように作用する。
【００３７】
次に、設定電圧が４．２０Ｖの場合に換算されたサイクル数の積算値から、初期容量に対する実質容量の割合（以下、サイクル劣化係数という）を算出する方法について説明する。
図５は、電池１のサイクル数の増加に応じてサイクル劣化係数が低下する様子を模式的に示すグラフである。図５の横軸はサイクル数を表し、縦軸はサイクル劣化係数を表す。図中、実線がサイクル劣化係数の変化を例示するものであり、破線は曲線上の５つの点Ａ０〜Ａ４を結ぶ直線にて曲線を近似したものである。サイクル数からサイクル劣化係数を算出するにあたり、本実施の形態では、点Ａ０〜Ａ４の座標値がＲＯＭ５２に予め記憶されており、任意のサイクル数に応じたサイクル劣化係数を直線補間にて算出することができる。尚、サイクル劣化係数は、直線補間以外の方法で算出又は特定するようにしてもよい。
【００３８】
次に、フローチャートを用いて、上述した処理の内容を詳細に説明する。
図６は、サイクル数の増分が発生する都度、サイクル劣化係数を算出するＣＰＵ５１の処理手順を示すフローチャートである。以下に示す処理は、例えば２５０ｍｓ毎に起動され、ＲＯＭ５２に予め格納された制御プログラムに従ってＣＰＵ５１により実行される（以下同様）。
尚、積算放電容量は、電池１の放電量の積算値であり、以下に示す処理とは別に、例えば２５０ｍｓ毎に起動される処理によって積算された値がＲＡＭ５３に記憶されている。サイクル劣化加速係数及びサイクル劣化係数は、ＲＡＭ５３に記憶される。
【００３９】
図６の処理が起動された場合、ＣＰＵ５１は、ＲＡＭ５３に記憶された積算放電容量が、ＲＯＭ５２に記憶された初期容量（公称容量）以上であるか否かを判定する（Ｓ１１）。初期容量より小さい場合（Ｓ１１：ＮＯ）、ＣＰＵ５１は、そのまま処理を終了する。初期容量以上である場合（Ｓ１１：ＹＥＳ）、ＣＰＵ５１は、積算放電容量の内容から初期容量の内容を減算して積算放電容量に書き込む（Ｓ１２）。これにより、積算放電容量の積算が一旦リセットされてから再開される。
【００４０】
その後、ＣＰＵ５１は、サイクル劣化加速係数に仮の値として１を書き込んでから（Ｓ１３）、ＲＯＭ５２に書き込まれた設定電圧が４．２Ｖであるか否かを判定し（Ｓ１４）、４．２Ｖではない場合（Ｓ１４：ＮＯ）、即ち設定電圧を既に低減して居る場合、サイクル劣化加速係数を０．７に書き替える（Ｓ１５）。尚、本実施の形態では、２段階の設定電圧の高／低に応じてサイクル劣化加速係数を１／０．７に特定しているが、３段階以上の設定電圧の高／低に応じて大／小に変化するサイクル劣化加速係数を特定するようにしてもよい。
【００４１】
ステップＳ１５の処理を終えた場合、又はステップＳ１４で設定電圧が４．２Ｖである場合（Ｓ１４：ＹＥＳ）、ＣＰＵ５１は、以下の式（１）によって、ＲＯＭ５２に記憶されたサイクル数にサイクル数の増分（＝１）の補正値を加算して（Ｓ１６）サイクル数を計数する。
サイクル数＝サイクル数＋１×サイクル劣化加速係数・・・・・・（１）
【００４２】
尚、サイクル数の増分は、１に限定されるものではなく、例えばサイクル数ｎ（ｎは２以上の整数）を計数する都度、図６の処理が起動されるようにし、式（１）では１をｎに置き換えるようにしてもよい。
その後、ＣＰＵ５１は、ＲＯＭ５２に記憶された図５の点Ａ０〜Ａ４の座標値と積算して得たサイクル数とに基づいてサイクル劣化係数を直線補間にて算出し（Ｓ１７）、算出した値をＲＯＭ５２に記憶して処理を終了する。
【００４３】
以上のサイクル数の増加に伴う劣化に加えて、電池１では、充電した状態での放置（保存を含む）期間の経過と共に劣化が進行する。以下では、電池１の保存期間を計時して、電池１の劣化の程度を数値化した保存劣化係数を算出する方法について説明する。
本実施の形態では、電池１の保存期間が１時間経過する都度、所定の処理を行って保存劣化係数を算出するが、この場合の時間間隔は１時間に限定されるものではない。
【００４４】
図７は、電池１の保存期間を計時する方法を説明するための説明図である。図中「☆」印が付与された部分は、ＲＯＭ５２に記憶される保存期間の増分（＝１時間）が発生するポイントを示す。保存期間の増分を積算することにより、保存期間が計時される。保存期間の増分が前回積算されてから１時間が経過した場合、電池１の温度（以下、電池温度ともいう）と、電池１を構成する電池ブロックＢ１１，Ｂ１２，Ｂ１３のうち電圧が最大の電池ブロックの端子電圧、即ち電池セル１１１，１１２，１１３，１２１，１２２，１２３，１３１，１３２，１３３のうち、電圧が最大の電池セルの端子電圧（以下、最大セル電圧という）が取り込まれる。
【００４５】
次に、電池１の保存期間と実質容量との関係について説明する。
図８は、電池１の保存期間の増加に応じて実質容量が低下する様子を示すグラフである。図８の横軸は保存期間を表し、縦軸は初期容量に対する実質容量の割合を表す。図中の太い実線、細い実線、破線及び一点鎖線の夫々は、最大セル電圧が４．２０Ｖ、４．１５Ｖ、４．１０Ｖ及び４．００Ｖの場合を示す。
【００４６】
図８から把握されるように、最大セル電圧が低下することにより、保存期間の増加に伴う実質容量の低下、即ち劣化度の進行が抑制される。図を大局的に見れば、最大セル電圧が０．１０Ｖ低下することにより、同一の実質容量に低下するまでの保存期間が、約１．５倍に延びている。つまり、基準となる電圧から最大セル電圧が０．１Ｖだけ低下した場合、実質容量の低下が保存期間の経過によって加速される割合（以下、保存劣化加速係数という）が、１．０から０．６乃至０．７（≒１／１．５）に低下する。本実施の形態では、上記基準となる電圧を０．１Ｖの電圧幅を有する電圧範囲で大雑把に捉えるものとし、最大セル電圧が４．１５Ｖ以上である場合の保存劣化加速係数を１とする。これにより、最大セル電圧が４．１５Ｖ〜４．０５Ｖの電圧範囲内に低下したときの保存劣化加速係数は、例えば０．６と特定され、最大セル電圧が４．０５Ｖより低い場合の保存劣化加速係数は、０．６より更に小さい値が特定される。尚、後述する実施の形態で示すように、最大セル電圧が４．０５Ｖより低い場合の保存劣化係数を一律に「０」としてもよい。所定の端子電圧であるセル電圧は、所定の残存容量（％）に対応するものであり、所定の端子電圧に代わって、所定の残存容量（％）を利用することもできる。
【００４７】
尚、最大セル電圧の電圧範囲の高／低に応じて保存劣化加速係数を特定するのは、後述するように、パック電池１０が、保存期間中に制御・電源部２１からの充電と微小放電を繰り返す、という実態に合わせるためである。また、このように最大セル電圧の電圧範囲の高／低と保存劣化加速係数の大／小とを対応させることにより、本来なら無段階に変化する最大セル電圧に応じて、保存劣化加速係数を特定することが容易となる。
【００４８】
次に、電池１の温度と経年劣化との関係について説明する。
図９は、電池１の温度上昇に応じて経年劣化が加速される様子を示すグラフである。図９の横軸は電池温度を表し、縦軸は、２５℃を基準とする電池温度によって電池１の経年劣化が加速される割合（以下、温度加速係数という）を表す。図中の実線は、いわゆる「１０℃−２倍則」、つまりアレニウスの法則に従う曲線を示し、破線は曲線上の５つの点Ｂ０〜Ｂ４を結ぶ直線にて曲線を近似したものである。電池温度から温度加速係数を算出（又は特定）するにあたり、本実施の形態では、点Ｂ０〜Ｂ４の座標値がＲＯＭ５２に予め記憶されており、任意の電池温度に応じた温度加速係数を直線補間にて算出することができる。
【００４９】
ここで、最大セル電圧及び電池温度は、保存期間が計時される期間中において徐々に変化する可能性があるため、上述した保存劣化加速係数及び温度加速係数は、保存期間の増分を積算する都度、特定する必要がある。一方、保存劣化加速係数及び温度加速係数の夫々は、最大セル電圧の電圧範囲が４．２０Ｖ〜４．１５Ｖの場合及び電池温度が２５℃の場合を基準にして、夫々の値を１としている。このため、最大セル電圧が４．１５Ｖより低い場合及び電池温度が２５℃とは異なる場合、保存期間の増分は、その時の最大セル電圧及び電池温度の夫々に応じて特定される保存劣化加速係数及び温度加速係数を乗じて補正することにより、最大セル電圧が４．２０Ｖ〜４．１５Ｖ且つ電池温度が２５℃の場合の増分に換算することができる。これにより、最大セル電圧及び電池温度が低いほど積算すべき増分が相対的に小さくなり、積算して得られた保存期間も短くなって、実質容量の低下を遅らせるように作用する。
【００５０】
次に、最大セル電圧の電圧範囲が４．２０Ｖ〜４．１５Ｖ且つ電池温度が２５℃の場合に換算された保存期間の積算値から、初期容量に対する実質容量の割合（以下、保存劣化係数という）を算出する方法について説明する。
図１０は、電池１の保存期間の増加に応じて保存劣化係数が低下する様子を模式的に示すグラフである。図１０の横軸は保存期間を表し、縦軸は保存劣化係数を表す。図中の太い実線及び細い実線の夫々は、最大セル電圧が４．２０Ｖの場合及び４．１５Ｖの場合を示す。また、破線は、太い実線及び細い実線の略中間に位置する５つの点Ｃ０〜Ｃ４を結ぶ直線によって、太い実線及び細い実線から等距離にある曲線を近似したものである。
【００５１】
負荷２２が動作していないときにパック電池１０を制御・電源部２１に接続したまま保存した場合、電池１は、例えば満充電の状態と残容量が９５％の状態とを行き来する。そしてこの間、最大セル電圧は、図１０の太い実線及び細い実線の間を上下する。従って、その間の最大セル電圧は、点Ｃ０〜Ｃ４を結ぶ直線上の点に対応する電圧（略４．１７５Ｖ）によって代表されると考えることができる。尚、パック電池１０の制御方法によっては、上記「略４．１７５Ｖ」の値が変化することは言うまでもない。
保存期間から保存劣化係数を算出するにあたり、本実施の形態では、点Ｃ０〜Ｃ４の座標値がＲＯＭ５２に予め記憶されており、任意の保存期間の長さに応じた保存劣化係数を直線補間にて算出することができる。
【００５２】
次に、フローチャートを用いて、上述した処理の内容を詳細に説明する。
図１１は、保存期間の増分が発生する都度、保存劣化係数を算出するＣＰＵ５１の処理手順を示すフローチャートである。以下に示す処理は、例えば２５０ｍｓ毎に起動される。
尚、保存時間は、パック電池１０を保存（放置）している時間を積算して得たものであり、以下に示す処理とは別に、例えば２５０ｍｓ毎に起動される処理により、２５０ｍｓ単位で積算されて、ＲＡＭ５３に記憶されている。保存劣化加速係数、温度加速係数及び保存劣化係数は、ＲＡＭ５３に記憶される。また、保存時間及び保存期間の初期値は０とする。
【００５３】
図１１の処理が起動された場合、ＣＰＵ５１は、ＲＡＭ５３に記憶された保存時間が、１時間以上となったか否かを判定する（Ｓ２１）。１時間に満たない場合（Ｓ２１：ＮＯ）、ＣＰＵ５１は、そのまま処理を終了する。１時間以上となった場合（Ｓ２１：ＹＥＳ）、ＣＰＵ５１は、保存時間の内容から１時間を減算する（Ｓ２２）。これにより、保存時間の積算が一旦リセットされて再開される。
【００５４】
その後、ＣＰＵ５１は、保存劣化加速係数に仮の値として０を書き込む（Ｓ２３）と共に、Ａ／Ｄ変換部４を介して取り込んだ最大セル電圧が４．１５Ｖ以上であるか否かを判定し（Ｓ２４）、４．１５Ｖ以上である場合（Ｓ２４：ＹＥＳ）、保存劣化加速係数を１に書き替える（Ｓ２５）。最大セル電圧が４．１５Ｖに満たない場合（Ｓ２４：ＮＯ）、ＣＰＵ５１は、最大セル電圧が４．０５Ｖ以上であるか否かを判定し（Ｓ２６）、４．０５Ｖ以上である場合（Ｓ２６：ＹＥＳ）、保存劣化加速係数を０．６に書き替える（Ｓ２７）。
【００５５】
ステップＳ２５の処理を終えた場合、ステップＳ２７の処理を終えた場合、又はステップＳ２６で最大セル電圧が４．０５Ｖに満たない場合（Ｓ２６：ＮＯ）、ＣＰＵ５１は、電池温度を検出し（Ｓ３１）、検出した電池温度と図９の点Ｂ０〜Ｂ４の座標値とに基づいて、温度加速係数を算出して（Ｓ３２）ＲＡＭ５３に記憶する。その後、ＣＰＵ５１は、以下の式（２）によって、ＲＯＭ５２に記憶されている保存期間に保存期間の増分（＝１時間）の補正値を加算して（Ｓ３３）保存期間を計時する。
保存期間＝保存期間＋１×保存劣化加速係数×温度加速係数・・・（２）
【００５６】
次いで、ＣＰＵ５１は、積算して得た保存期間と図１０の点Ｃ０〜Ｃ４の座標値とに基づいて、保存劣化係数を算出して（Ｓ３４）ＲＡＭ５３に記憶し、処理を終了する。
【００５７】
以下では、満充電を検出する都度、図６に示す処理にて算出したサイクル劣化係数と、図１１に示す処理にて算出した保存劣化係数とに基づいて、設定電圧を更新する処理について説明する。尚、設定電圧を更新する処理は、必ずしも満充電の検出を契機に行われるものに限定されない。
図１２は、劣化係数を算出して設定電圧を更新するＣＰＵ５１の処理手順を示すフローチャートである。以下に示す処理は、例えば２５０ｍｓ毎に起動される。
【００５８】
図１２の処理が起動された場合、ＣＰＵ５１は、図示しない充電処理によって満充電が検出されたか否かを判定し（Ｓ４１）、検出されていない場合（Ｓ４１：ＮＯ）、そのまま処理を終了する。満充電が検出された場合（Ｓ４１：ＹＥＳ）、ＣＰＵ５１は、以下の式（３）によって劣化係数を算出する（Ｓ４２）。
劣化係数＝サイクル劣化係数×保存劣化係数・・・・・・・・・・（３）
【００５９】
その後、ＣＰＵ５１は、算出した劣化係数が０．７（設定値）より大きいか否かを判定し（Ｓ４３）、大きい場合（Ｓ４３：ＹＥＳ）、そのまま処理を終了する。劣化係数が０．７以下の場合（Ｓ４３：ＮＯ）、ＣＰＵ５１は、劣化係数が０．３より小さいか否かを判定する（Ｓ４４）。０．３以上の場合（Ｓ４４：ＮＯ）、即ち劣化係数が０．７以下且つ０．３以上の場合、ＣＰＵ５１は、設定電圧を４．２Ｖから４．１Ｖに低減し（Ｓ４５）、処理を終了する。劣化係数が０．３より小さい場合（Ｓ４４：ＹＥＳ）、ＣＰＵ５１は、設定電圧を３．８Ｖに低減し（Ｓ４６）、処理を終了する。
【００６０】
以上のように、算出した劣化係数に基づいて、来るべき充電の際の設定電圧を低減することによって、残容量の表示等のために別途算出しているＦＣＣとの乖離が大きくなった場合は、ＦＣＣを修正する必要がある。
図１３は、ＦＣＣを劣化係数から算出した容量に一致させるＣＰＵ５１の処理手順を示すフローチャートである。以下に示す処理は、例えば２５０ｍｓ毎に起動される。尚、満充電から連続して放電した容量は、以下の処理とは異なる処理にて、例えば２５０ｍｓ周期で積算される。
【００６１】
図１３の処理が起動された場合、ＣＰＵ５１は、その時がＦＣＣを更新すべき時であるか否かを判定する（Ｓ５１）。ＦＣＣを更新すべき時の例としては、電池１が満充電から連続して放電した後に、学習容量を更新するポイントに達した時（例えば、電池セル１１１，１１２，１１３，１２１，１２２，１２３，１３１，１３２，１３３のうち、電圧が最小の電池セルの端子電圧が放電終止電圧に達した時）が挙げられる。ＦＣＣを更新すべき時ではない場合（Ｓ５１：ＮＯ）、ＣＰＵ５１は、そのまま処理を終了する。
【００６２】
その時がＦＣＣを更新すべき時の場合（Ｓ５１：ＹＥＳ）、ＣＰＵ５１は、満充電から連続して放電された容量を、仮にＦＣＣとする（Ｓ５２）。その後、ＣＰＵ５１は、以下の式（４）によって劣化容量を算出する（Ｓ５３）。
劣化容量＝初期容量×劣化係数・・・・・・・・・・・・・・・・（４）
【００６３】
次いで、ＣＰＵ５１は、算出した劣化容量がＦＣＣより小さいか否かを判定する（Ｓ５４）。劣化容量がＦＣＣ以上の場合（Ｓ５４：ＮＯ）、ＣＰＵ５１は、そのまま処理を終了する。この場合、ＦＣＣは、従来の方法で算出される値となる。劣化容量がＦＣＣより小さい場合（Ｓ５４：ＹＥＳ）、ＣＰＵ５１は、算出した劣化容量をＦＣＣとし（Ｓ５５）、処理を終了する。これにより、ＦＣＣの値が、電池１の劣化に見合った値に補正される。
【００６４】
最後に、上述したように算出した劣化係数に基づいて設定電圧を低減した効果について説明する。
図１４は、劣化係数の低下が抑制される様子をシミュレーションによって示すグラフである。図１４の横軸はパック電池１０の使用期間を表し、縦軸は劣化係数を表す。図中、実線は設定電圧を低減しなかった場合を示し、破線は、劣化係数が０．５及び０．３に低下した時に、夫々設定電圧を４．１０Ｖ及び３．８０Ｖに低下させた場合を示す。また、一点鎖線は、劣化係数が０．７及び０．３に低下した時に、夫々設定電圧を４．１０Ｖ及び３．８０Ｖに低下させた場合を示す。パック電池１０の使用期間における使用条件としては、負荷機器２０としてのＰＣを１週間に約５０時間動作させ、その間に１サイクルの充放電が発生する状況を想定している。電池１の動作時の温度は３３℃を、不動作時の温度は２３℃とする。
【００６５】
図１４に示すシミュレーションの結果によれば、破線で示すように劣化係数が０．５及び０．７に夫々低下した時に初めて設定電圧を低減するようにした場合は、設定電圧を低減しない場合と比較して、劣化係数が０．３に低下するまでの期間が、夫々略半年及び略１年延伸されると言える。
【００６６】
以上のように本実施の形態によれば、電池パックの使用と共に増大する指標であるサイクル数の増分（１サイクル）と、時間の経過と共に増大する指標である電池パックの保存期間の増分（１時間）とについて、サイクル劣化加速係数及び保存劣化加速係数を特定し、特定した各劣化加速係数の夫々を１サイクル及び１時間に乗じて補正し、補正した増分の夫々を積算し、積算して得たサイクル数及び保存期間夫々に応じてサイクル劣化係数及び保存劣化係数を算出する。そして、サイクル劣化係数及び保存劣化係数の積の減少に応じて設定電圧を低減する。
これにより、１サイクル及び１時間単位の増分の夫々が、特定されたサイクル劣化加速係数及び保存劣化加速係数によって補正され、補正された増分の夫々が積算され、積算によって得られたサイクル数及び保存期間夫々の大／小に応じてサイクル劣化係数及び保存劣化係数が小／大に算出され、算出された劣化係数同士の積に応じて、設定電圧が低減される。このため、劣化の進行に応じて設定電圧が低減される都度、１サイクル及び１時間単位の増分について低減後に特定されるサイクル劣化加速係数及び保存劣化加速係数が低減前より小さくなる。つまり、サイクル数及び保存期間夫々の増大と共にサイクル劣化係数及び保存劣化係数が減少する割合が、設定電圧の低減に応じて小さくなるように、各劣化加速係数が特定される。
従って、設定電圧の低減に応じて劣化度が変化することを考慮した上で、劣化の進行を抑制することが可能となる。
【００６７】
また、サイクル数及び保存期間の夫々について算出した劣化係数同士の積が、０．３より小さい場合、充電に際して安全度の高い３．８Ｖまで設定電圧を引き下げる。
これにより、二次電池の劣化がある程度まで進行した場合は、設定電圧を大きく引き下げて、安全上の問題が発生するリスクを大幅に低下させることが可能となる。
【００６８】
更にまた、充放電サイクル数の増分について特定されるサイクル劣化加速係数は、その時の設定電圧の高／低に応じて大／小に変化する係数から特定されるようにしてある。
これにより、二次電池の劣化に最も影響を与える指標の１つである充放電サイクル数と、設定電圧とに基づいて、二次電池の劣化係数が算出されるため、二次電池の劣化度を適切に評価して劣化の進行を抑制することが可能となる。
【００６９】
更にまた、保存期間の増分について特定される保存劣化加速係数は、その時の端子電圧の高／低に応じて大／小に変化する係数から特定されるようにしてある。
これにより、二次電池の劣化に最も影響を与える指標の１つである放置期間と、放置期間中の端子電圧とに基づいて、二次電池の劣化係数が算出されるため、二次電池の劣化度を適切に評価して劣化の進行を抑制することが可能となる。
【００７０】
更にまた、電池の温度の高／低に応じて大／小に変化する温度加速係数が予め準備されており、保存期間の増分を積算する都度検出した電池の温度に応じて温度加速係数を特定し、特定した温度加速係数を、設定電圧に応じて特定される保存劣化加速係数と共に、保存期間の増分に乗じて補正する。
これにより、放置期間の増分に対応する期間における電池電圧が高いほど劣化の進行が速まるという二次電池の劣化特性を、保存劣化係数の算出に反映させることが可能となる。
【００７１】
尚、本実施の形態にあっては、サイクル数及び保存期間の夫々について劣化係数を算出して設定電圧を低減したが、用いるべき指標はサイクル数及び保存期間に限定されるものではなく、電池１の使用又は時間の経過と共に増大する指標であれば、他の指標を用いてもよい。
また、サイクル劣化加速係数及び保存劣化加速係数は、予め準備された複数の値から特定したが、これに限定されるものではなく、サイクル劣化加速係数及び保存劣化加速係数の夫々についての増分が発生する都度、算出するようにしてもよい。
更にまた、サイクル劣化係数及び保存劣化係数の積の減少に応じて設定電圧を低減したが、設定電圧と共に（又は設定電圧に代えて）設定電流を低減するようにしてもよい。
【００７２】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【符号の説明】
【００７３】
１  電池
１０  パック電池
１１１、１１２、１１３、１２１、１２２、１２３、１３１、１３２、１３３  電池セル（二次電池）
２  電流検出器
３  温度検出器（温度を検出する手段）
５  制御部
５１  ＣＰＵ
５２  ＲＯＭ
５３  ＲＡＭ
５４  タイマ（計時手段）
７１、７２  ＭＯＳＦＥＴ
９  通信部
２０  負荷機器
２１  制御・電源部
【図１】
0005174104.tif 000002
【図２】
0005174104.tif 000003
【図３】
0005174104.tif 000004
【図４】
0005174104.tif 000005
【図５】
0005174104.tif 000006
【図６】
0005174104.tif 000007
【図７】
0005174104.tif 000008
【図８】
0005174104.tif 000009
【図９】
0005174104.tif 000010
【図１０】
0005174104.tif 000011
【図１１】
0005174104.tif 000012
【図１２】
0005174104.tif 000013
【図１３】
0005174104.tif 000014
【図１４】
0005174104.tif 000015